(57)【特許請求の範囲】
【請求項１】
障子枠に貼着されるレース生地であって、透かして見ることの出来る透かし部分と、透かして見ることの出来ないレース地または布地からなる遮蔽部分とが一体に設けられることを特徴とする障子貼り用レース生地。
【発明の詳細な説明】
【０００１】
【発明の属する技術分野】
本発明は、障子枠にレース生地を貼着するための技術に関する。
【０００２】
【従来の技術】
従来、本出願人は、既に特開平１０−３３１５３３号のようなレース生地を貼着した障子、及び障子貼り用レース生地を提案しており、この技術では、従来の障子紙の代わりに、レース生地を感熱型接着剤により障子枠に貼着することで、通気性や採光性等を良くするようにしている。
【０００３】
【発明が解決しようとする課題】
ところで、レース生地には、透かし模様等の透かし目が形成されており、この透かし目の隙間が大きいほど通気性や採光性等が良くなるが、室内にいる人にとっては、室内状況が外部から透かして見られるのではないかという心配が生じる。
このことは、通常の外部の方が明るく室内側が暗い状態では杞憂にすぎないのであるが、室内から外部の視認性が良いため、そういう気分に陥りがちである。また、室内が外部より明るい場合は、実際に外部から室内が見られるという問題もある。
【０００４】
そこで本発明は、通気性や採光性等のレース生地の特性を活かしつつ、外部から見られるのが嫌な箇所は目隠しできるようにすることを目的とする。
【０００５】
【課題を解決するための手段】
上記課題を解決するため本発明は、障子枠に貼着されるレース生地において、透かして見ることの出来る透かし部分と、透かして見ることの出来ないレース地または布地からなる遮蔽部分とを一体に設けるようにした。
【０００６】
そして、このようなレース地を、例えば、透かして見ることの出来る部分を障子枠の上部に、透かして見ることの出来ない部分を障子枠の下部に貼着すれば、室内でくつろいでいる姿勢や、室内での生活状況等を目隠しすることができ、しかも上部側の透かし部分により採光性や通気性等が確保できる。
しかも、下方側の透かして見ることの出来ないレース生地または布地は、透かし目があるレース生地に較べて引裂き強度等が強いのが一般的であるため、特に障子の下方部が、動物や子供等によって損傷を受ける等の事態が起きにくくなって好適である。
【０００７】
この際、上記のようなレース生地は、透かして見えるレース生地と、透かして見えないレース生地等の別体物を縫合等により接合一体化したものでも良く、一枚のレース生地に透かして見える部分と透かして見えない部分を形成したものでも良い。
【０００８】
また、レース生地を一体化しておくことにより、貼り付け作業や剥ぎ取り作業を容易化できるとともに、透かし部分と遮蔽部分の境界線を障子枠の任意の位置に設定出来るようになる。
尚、このようなレース生地は、前記のように、透かして見えるレース生地と、透かして見えないレース生地等の別体物を縫合等により接合一体化したものでも良く、一枚のレース生地に透かして見える部分と透かして見えない部分を形成したものでも良い。
【０００９】
本発明の実施の形態について添付した図面に基づき説明する。
ここで図１は、二枚のレース地を貼着する場合の貼着方法の説明図で、レース生地を障子枠に貼り付ける前の状態図、図２は障子枠にレース生地を貼着した後の状態図、図３は本発明に係るレース生地を一体化した場合の説明図である。
【００１０】
本発明に係る障子枠へのレース生地の貼着技術及びレース生地は、室内を明るくすると同時に通気性を良好にし、また外部から見られるのが嫌な箇所は目隠しできるようにされ、障子枠の上部側に、透かして見ることの出来るレース生地を配置し、障子枠の下部側に透かして見ることの出来ないレース生地または布地を配置することを特徴としている。
【００１１】
この際、レース生地としては、透かし度の異なる二枚のレース生地を別々に貼り合わせるようにしても良く、透かし度の異なる二枚のレース生地を予め縫合等によって一体化しておくようにしても良く、一枚のレース生地の上部側と下部側の透かし度を異ならせて成形しても良いが、本発明では、透かし度の異なる二枚のレース地等を予め縫合等によって一体化するか、または一枚のレース生地の上部側と下部側の透かし度を異ならせて成形するようにする。ここでは説明上、まず二枚のレース生地を別々に貼り合わせる場合の要領について説明する。
【００１２】
この場合は、図１に示すように、透かして見ることの出来るレース生地からなる透かしレース生地１と、透かして見ることの出来ないレース生地または布地からなる遮蔽生地２とを準備し、障子枠３の外形形状に合わせて、上部側の所要領域が透けて見えるように透かしレース生地１を裁断し、下部側の残りの領域が遮蔽されるよう遮蔽生地を裁断する。因みに、本実施例では、上方の約１／３程度の領域が透けて見え、下方の２／３程度の領域が遮蔽できるような比率にし、透かしレース生地１と遮蔽生地２の境界部が横棧６上に位置するようにしている。
【００１３】
また、障子枠３は、上下の横框４と、左右の縦框５によって矩形状に形成される外枠の内部に、横棧６と縦棧７が格子状に組まれた一般的な形態であり、このような障子枠３の上部に接着剤等によって透かしレース生地１を貼着し、下部に遮蔽生地２を貼着する。
【００１４】
すると、図２に示すような形態の障子ができあがり、室内の下方部は、遮蔽生地２によって目隠しされた状態になるとともに、上方部は透かしレース生地１によって通気性が良く、しかも採光性も良好である。また、透かしレース生地１によって外部を透かして見ることも可能である。
また、下方の遮蔽生地２は、透かしレース生地１に較べて糸密度が高くて損傷しにくいのが一般的であり、例えば動物や子供等から損傷を受ける不具合を抑制出来る。
【００１５】
因みに、本実施例では、障子枠３に透かしレース生地１や遮蔽生地２を貼り付けるにあたり、熱可塑性樹脂を基材とするホットメルト式接着剤を障子枠３の横框４や縦框５や境界部の横棧４等に塗布しておき、この障子枠３上に透かしレース生地１や遮蔽生地２を重ねて所定の位置にセットした後、アイロン等で接着剤を溶融させて接着させるようにしているが、接着剤の種類や接着方法等は任意である。
また、本実施例では、障子枠３から取外す際も、アイロン等により接着剤を溶融させて剥がし取るようにしている。
【００１６】
次に、予めレース生地を一体化しておく場合の構成例について説明する。
このようなレース生地は、図１の要領で裁断した二枚の透かしレース生地１と遮蔽生地２の接合部を縫合等によって予め接合しておくか、または、レース生地を作製する段階から、透かして見ることの出来る透かし部分と透かして見ることの出来ない遮蔽部分を形成しておく方法等があるが、いずれの方法でも構わない。
【００１７】
そしてこのようなレース生地８は、図３に示すように、障子の上部側に透かし部分８ａを備えるとともに、障子の下部側に遮蔽部分８ｂを備えており、障子枠３に貼り付けることで、前記と同様の効果があり、しかも一枚のレース生地８であるため貼り付け作業や剥し取り作業が楽に行える。しかも、透かし部分８ａと遮蔽部分８ｂの境界部を横棧６の位置に合わせる必要がなく、任意の位置に設定できるため便利である。
【００１８】
尚、本発明は以上のような実施形態に限定されるものではない。本発明の特許請求の範囲に記載した事項と実質的に同一の構成を有し、同一の作用効果を奏するものは本発明の技術的範囲に属する。
例えば、透かし部分８ａと遮蔽部分８ｂの境界線は直線に限られず、曲線であっても良い。
【００１９】
【発明の効果】
以上のように本発明は、障子枠に貼着されるレース生地として、透かして見ることの出来る透かし部分と、透かして見ることの出来ないレース地または布地からなる遮蔽部分とを一体に設けるようにしたため、例えば障子枠へレース生地を貼着する際、透かして見ることの出来るレース生地を障子の上部に貼着し、透かして見ることの出来ないレース生地等を障子の下部に貼着することで、室内でくつろいでいる姿勢や、室内での生活状況等を目隠しすることができ、しかも上部側の透かし部分により採光性や通気性等が確保できる。
また、障子の下方部の生地の強度が増すため、動物や子供等から損傷を受けるような不具合を抑制できる。
更に、貼り付け作業や剥ぎ取り作業を容易化できるとともに、透かし部分と遮蔽部分の境界線を障子枠の任意の位置に設定出来るようになる。
【図面の簡単な説明】
【図１】本発明の貼着方法の説明図で、レース生地を障子枠に貼り付ける前の状態図
【図２】障子枠にレース生地を貼着した後の状態図
【図３】レース生地を一体化した場合の説明図
【符号の説明】
１…透かしレース生地、２…遮蔽生地、８…一体のレース生地、８ａ…透かし部分、８ｂ…遮蔽部分。
【図１】
0003934470.tif 000002
【図２】
0003934470.tif 000003
【図３】
0003934470.tif 000004